(57)【特許請求の範囲】
【請求項１】
受け部材を有する本体と、
前記受け部材上に乗る閉位置と前記受け部材上から離れる開位置との間でヒンジ廻りに開閉可能に前記本体に枢着された開閉体とを備え、
前記受け部材側の案内部材と前記開閉体の下側に設けられた被案内部材とを有し且つ前記開閉体を閉じるときに該開閉体を前記受け部材上へと案内する案内手段を、前記ヒンジに対して遠近方向に複数配置した遊技機において、
前記ヒンジから遠い側の前記案内手段の前記被案内部材は、
前記ヒンジに近い側の前記案内手段の前記被案内部材よりも前記開閉体の閉方向の突出量が大である
ことを特徴とする遊技機。
【発明の詳細な説明】
【技術分野】
【０００１】
本発明は、パチンコ機、アレンジボール機、スロットマシン等の遊技機に関するものである。
【背景技術】
【０００２】
遊技機、例えばパチンコ機、アレンジボール機等の弾球遊技機では、前側下部に受け部材が設けられた本体用の外枠と、この外枠にヒンジ廻りに開閉可能に枢着された開閉体用の前枠とを備え、その前枠が受け部材上に乗る閉位置と受け部材から前側に離れる開位置との間で開閉するようになっている。
【０００３】
一般的に前枠には、画像表示手段、入賞手段等の遊技部品を備えた遊技盤、遊技盤の前側を覆うガラス扉、発射用の遊技球を貯留する貯留皿等が装着されており、重量的に非常に重たくなる傾向にある。そのため開放状態の前枠は、重量による前枠自体の歪み、又はヒンジの遊び等により、前枠のヒンジとは反対の遊端側が大きく垂れ下がることになる。従って、前枠を閉じる際には、前枠側の重量に抗して前枠の遊端側を持ち上げながら受け部材上へと乗せる必要がある。
【０００４】
そこで、従来の弾球遊技機では、受け部材と前枠との間に１個又は複数の案内手段を設けて、前枠を閉位置へと回動させる際に、案内手段により前枠の遊端側を受け部材上へと持ち上げるようにしている（特許文献１、２）。
【０００５】
特許文献１の弾球遊技機は、ヒンジから遠い遊端側に１個の案内手段を設けている。また特許文献２の弾球遊技機は、ヒンジの近傍側に第１案内手段が、ヒンジから遠い遊端側に第２案内手段が夫々位置するように、受け部材の長手方向の両端側に２個の案内手段を設けている。
【先行技術文献】
【特許文献】
【０００６】
【特許文献１】特開２００２−８５７６２号公報
【特許文献２】特開２００５−１３１３３２号公報
【発明の概要】
【発明が解決しようとする課題】
【０００７】
従来の特許文献１の場合には、前枠の遊端側が外枠の前側近傍に接近するまでは前枠が垂れ下がり状態のままで回動し、その垂れ下がり状態の前枠の遊端側を１個の案内手段により案内して受け部材上へと持ち上げるため、その案内手段に加わる負荷が大きくなる問題がある。
【０００８】
一方、特許文献２の場合には、前枠が外枠側に回動するに伴って、ヒンジに近い側から第１案内手段、第２案内手段の順で前枠を順次受け部材上へと案内するため、前枠を閉方向に所定の速度で速く回動させる場合には、各案内手段に加わる負荷を軽減しながらスムーズに前枠を閉じることができる。
【０００９】
しかし、第１案内手段、第２案内手段は、前枠の左右方向の重心位置からヒンジ側と遊端側との両側に離れて配置されており、特に第１案内手段がヒンジの近傍にあるため前枠の回動速度が遅い場合には、各案内手段に大きな負荷が加わる上に、前枠の遊端側が上下動する等の問題があり、前枠をスムーズに閉じ難いという問題がある。
【００１０】
即ち、第１案内手段がヒンジの近傍にあるため、第１案内手段が前枠の持ち上げを開始してから、第２案内手段が前枠を持ち上げ始めるまでの間は、第１案内手段に非常に大きな負荷が加わる。しかも、第１案内手段が前枠を持ち上げた後、前枠の重量による歪み、ヒンジの遊び等によって、前枠の遊端側が第１案内手段を支点として垂れ下がり、その後に第２案内手段が前枠の遊端側を再度持ち上げるため、前枠の閉動作中に遊端側が上下動するという問題がある。
【００１１】
本発明は、このような従来の問題点に鑑み、開閉体をスムーズに閉じることができる遊技機を提供することを目的とする。
【課題を解決するための手段】
【００１２】
本発明は、受け部材を有する本体と、前記受け部材上に乗る閉位置と前記受け部材上から離れる開位置との間でヒンジ廻りに開閉可能に前記本体に枢着された開閉体とを備え、前記受け部材側の案内部材と前記開閉体の下側に設けられた被案内部材とを有し且つ前記開閉体を閉じるときに該開閉体を前記受け部材上へと案内する案内手段を、前記ヒンジに対して遠近方向に複数配置した遊技機において、前記ヒンジから遠い側の前記案内手段の前記被案内部材は、前記ヒンジに近い側の前記案内手段の前記被案内部材よりも前記開閉体の閉方向の突出量が大にしたものである。
【発明の効果】
【００１３】
本発明によれば、開閉体をスムーズに閉じることができる利点がある。
【図面の簡単な説明】
【００１４】
【図１】本発明の第１の実施形態を示すパチンコ機の正面図である。
【図２】パチンコ機の背面図である。
【図３】外枠、前枠の分解斜視図である。
【図４】外枠、前枠の平面断面図である。
【図５】第１案内手段の断面図である。
【図６】第２案内手段の断面図である。
【図７】（Ａ）は第１案内手段の被案内部材側の分解斜視図、（Ｂ）は第１案内手段の被案内部材側の背面図、（Ｃ）は第１案内手段の被案内部材側の断面図である。
【図８】（Ａ）は第２案内手段の被案内部材側の分解斜視図、（Ｂ）は第２案内手段の被案内部材側の背面図、（Ｃ）は第２案内手段の被案内部材側の断面図である。
【図９】（Ａ）は案内手段の案内部材側の分解斜視図、（Ｂ）は案内手段側の案内部材  側の背面図である。
【図１０】各案内手段の説明図である。
【図１１】前枠を閉じるときの動作説明図である。
【図１２】本発明の第２の実施形態を示す外枠、前枠の平面断面図である。
【図１３】各案内手段の説明図である。
【図１４】第１案内手段の断面図である。
【図１５】第２案内手段の断面図である。
【図１６】前枠を閉じるときの動作説明図である。
【図１７】本発明の第３の実施形態を示す外枠、前枠の平面断面図である。
【図１８】各案内手段の説明図である。
【図１９】第１案内手段の断面図である。
【図２０】第２案内手段の断面図である。
【図２１】前枠を閉じるときの動作説明図である。
【図２２】本発明の第４の実施形態を示す外枠、前枠の分解斜視図である。
【図２３】外枠、前枠の平面断面図である。
【図２４】本発明の第５の実施形態を示す外枠、前枠の分解斜視図である。
【図２５】外枠、前枠の平面断面図である。
【図２６】本発明の第６の実施形態を示す外枠、前枠の分解斜視図である。
【図２７】外枠、前枠の平面断面図である。
【図２８】本発明の第７の実施形態を示す外枠下部の斜視図である。
【図２９】外枠下部の断面図である。
【図３０】案内部材の背面断面図である。
【発明を実施するための形態】
【００１５】
以下、本発明の各実施形態を図面に基づいて詳述する。
【００１６】
図１〜図１１は本発明をパチンコ機１に採用した第１の実施形態を例示する。パチンコ機１は、図１及び図２に示すように、矩形状の外枠（本体）２と、この外枠２の前側に上下一対のヒンジ３を介して開閉可能に装着された前枠（開閉体）４とを備えている。
【００１７】
外枠２は、図１〜図３に示すように、上下方向に配置された左右一対の縦部材５と、この両縦部材５の上下両端側に左右方向に配置された上下一対の横部材６とを矩形状に接合して構成され、その縦部材５の前側下部には下側の横部材６に接合された受け部材８が左右方向に設けられている。
【００１８】
受け部材８は閉状態の前枠４を下側から受けるためのもので、図５及び図６に示すように、下側の横部材６の前端部上で縦部材５間に設けられた強度部材９と、この強度部材９を覆う合成樹脂製のカバー部材１０とを備えている。カバー部材１０は強度部材９の裏面側以外の各面を覆うようになっており、その上面部１１の後端には、受け部材８と前枠４との間の隙間Ｓ（図１参照）を塞ぐ不正防止用の塞ぎ部材１２が上向きに突出して一体に設けられている。
【００１９】
なお、縦部材５、横部材６、強度部材９は木材製でもよいし、合成樹脂製又は金属製であってもよい。またカバー部材１０は強度部材９の少なくとも上面側及び前面側を覆うもの、又は左右の側面側を覆うものであれば十分である。塞ぎ部材１２は起立壁により構成しているが、その上端側に前側に屈曲する屈曲部を設け、この屈曲部が前枠４の後側下端部の左右方向の溝に入るようにしてもよい。また塞ぎ部材１２はカバー部材１０とは別に設けてもよい。
【００２０】
前枠４は上下一対のヒンジ３により外枠２に開閉可能に枢着されており、図５、図６に示すように受け部材８上に乗る閉位置と、この閉位置から前側の開位置との間でヒンジ３廻りに開閉可能である。各ヒンジ３は外枠２側の固定ブラケット１３と、前枠４側の可動ブラケット１４とを有し、ヒンジ軸１５廻りに回動自在に結合されている。
【００２１】
前枠４には窓孔４ａに対応して遊技盤１６が前側又は裏側から着脱自在に装着されている。また前枠４の前面には、遊技盤１６の遊技領域を視認可能に前側から覆うガラス扉１７と、このガラス扉１７の下側に配置された前面扉１８とがヒンジ３により開閉可能に装着されている。更に前枠４の下部側には、余剰球を貯留する余剰球貯留皿１９と、発射手段２０と、発射手段２０用の発射ハンドル２１とが設けられている。発射手段２０は打撃槌を駆動する駆動モータ２２を有し、その駆動モータ２２は前枠４の裏側に固定されている。
【００２２】
ガラス扉１７は遊技盤１６の遊技領域を視認可能である。前面扉１８には発射用の遊技球を貯留する貯留皿２３、貯留皿２３からの遊技球を発射手段２０へと１個ずつ送る球送り手段（図示省略）等が設けられている。なお、ガラス扉１７と前面扉１８とを上下に一体にした前扉を設けてもよい。
【００２３】
遊技盤１６の前面には、発射手段２０から発射された遊技球を遊技領域の上部側へと案内するガイドレール２４が設けられている。遊技領域はガイドレール２４の内側に形成され、その遊技領域に画像表示手段２５、始動入賞手段２６、可変入賞手段２７、普通入賞手段２８等の各種遊技部品が配置されている。
【００２４】
前枠４の裏側には、遊技盤１６を裏側から押さえて固定する裏機構板２９が開閉自在に装着されている。この裏機構板２９の略中央部分には開口部３０が形成され、その上側には賞球タンク３１とこの賞球タンク３１に接続されたタンクレール３２とが、左右方向の片側にはタンクレール３２に接続された払出し手段３３が、下側には払出し手段３３に接続された払出し球誘導路３４が夫々設けられている。払出し手段３３は賞球タンク３１からタンクレール３２を経由して送られる遊技球を払い出し、払出し球誘導路３４を経由して貯留皿２３に排出するようになっている。
【００２５】
遊技盤１６の裏側には、遊技盤１６の各遊技部品を裏側から覆う裏カバー３５が装着されており、その裏カバー３５は裏機構板２９の開口部３０に嵌合されている。裏カバー３５の裏側には、主制御基板３６を収容する主制御基板ケース３７、演出制御基板３８を収容する演出制御基板ケース３９、効果音制御基板４０を収容する効果音制御基板ケース４１が装着されている。
【００２６】
主制御基板３６は遊技盤１６の各遊技部品による遊技動作を制御し、演出制御基板３８は遊技盤１６等に装着された多数のランプの点灯動作を制御し、効果音制御基板４０はスピーカから出る効果音を制御するものである。
【００２７】
演出制御基板ケース３９、効果音制御基板ケース４１の下側の裏機構板２９上には、電源の供給等を行う電源基板４２と、払出し手段３３による遊技球の払出しを制御する払出し制御基板４３とが収納された基板ケース４４が着脱自在に装着されている。
【００２８】
外枠２の受け部材８と前枠４との間には、図３及び図４に示すように、前枠４をヒンジ３廻りに閉じる際に、前枠４を受け部材８上へと案内する第１案内手段４６と第２案内手段４７との複数の案内手段４６，４７が受け部材８の長手方向に所定の間隔をおいて設けられている。
【００２９】
第１案内手段４６はヒンジ３に近い側に配置され、第２案内手段４７はヒンジ３から遠い前枠４の遊端側に配置されている。特に第１案内手段４６は前枠４の左右方向の重心位置Ｇの近傍、又は重心位置Ｇに対してヒンジ３と反対の遊端側でヒンジ３側寄りに配置されており、第２案内手段４７は前枠４の重心位置Ｇに対してヒンジ３と反対の遊端側に配置されている。
【００３０】
両案内手段４６，４７は、図４に示すように、外枠２の近傍まで接近したときに略同時に前枠４の持ち上げを開始するようになっている。なお、両案内手段４６，４７は前枠４が外枠２の近傍まで接近したときに、前枠４の僅かの回動で第１案内手段４６、第２案内手段４７の順若しくは逆の順で相前後して略同時期に前枠４の持ち上げを開始するようにしてもよい。
【００３１】
各案内手段４６，４７は、受け部材８上に設けられた案内部材４８，４９と、前枠４の下側に設けられた被案内部材５０，５１とを備えている。案内部材４８，４９は各案内手段４６，４７に共通の略同一構造であって、図５、図６及び図９（Ａ）（Ｂ）に示すように、受け部材８の前端側に円弧状に形成された案内部５３と、この案内部５３の後側に平坦状に形成され且つ閉位置の前枠４を下側から受ける受け部５４とを有し、取り付け部５５がネジ等の固定具５６により受け部材８の強度部材９に裏面側から着脱自在に固定されている。各案内部材４８，４９の案内部５３は受け部材８に対して前後方向の略同一位置に配置されている。
【００３２】
前枠４の下端と受け部材８との間には、開状態ではその重量等により前枠４の遊端側が垂れ下がるため、各案内手段４６，４７による持ち上げ開始前に前枠４が受け部材８と接触しないだけの隙間Ｓ（図１参照）が設けられている。また各案内部材４８，４９は、受け部材８上に持ち上げた前枠４を受け部材８と略平行に下側から受ける受け部５４を有し、この受け部８はカバー部材１０の上面部１１から上側に突出している。
【００３３】
塞ぎ部材１２には、被案内部材５０，５１が前枠４から後方に突出しているため、前枠４が閉位置のときに、その被案内部材５０，５１との干渉を防止する必要から、図９に示すように切り欠き部６４が形成されている。案内部材４８，４９の左右両側には縦溝６３が設けられており、その縦溝６３に塞ぎ部材１２の切り欠き部６４側の端縁部１２ａが挿入されている。
【００３４】
被案内部材５０，５１は、図５、図６、図７（Ａ）〜（Ｃ）及び図８（Ａ）〜（Ｃ）に示すように、後上がりの傾斜状に形成され且つ案内部材４８，４９の案内部５３が摺動自在に接触する被案内部５８と、前枠４が受け部材８上の閉位置に位置したときに、案内部材４８，４９の受け部５４上に乗り上げる乗り上げ部５９と、被案内部５８から後方に突出して案内部５３を被案内部５８側へと誘導する誘導部５８ａとを有し、取り付け部６０がネジ等の固定具６１により前枠４に裏面側から着脱自在に固定されている。乗り上げ部５９は前枠４の下側の凹部６２内に配置されており、その下面側は前枠４の下面と略面一状である。
【００３５】
各被案内部材５０，５１の被案内部５８は略同じ傾斜角度である。そして、この各被案内部材５０，５１の被案内部５８は、前枠４が外枠２の近傍まで接近したときに、各案内部材４８，４９の案内部５３が略同時又は相前後して接触するように、ヒンジ３から各案内手段４６，４７までの距離の違いに略比例して、ヒンジ３に近い第１案内手段４６側に対してヒンジ３から遠い第２案内手段４７側の後方への突出量が大きくなっている。
【００３６】
因みに、この実施形態では、図４に示すように、第２案内手段４７は下側のヒンジ３から距離Ｘの位置に配置され、第１案内手段４６は下側のヒンジ３から距離２／３Ｘの位置に配置されており、前枠４が図４に示す位置まで外枠２側に接近したときに、各案内手段４６，４７が略同時に持ち上げ動作を開始し、その後に前枠４が閉位置まで角度αだけ回動する間に、各案内手段４６，４７が略同調して前枠４を受け部材８上に前枠４を持ち上げるようになっている。
【００３７】
この場合、前枠４の開放状態においては、下側のヒンジ３を支点として遊端側が下方に垂れ下がるが、その垂れ下がり量は図１０に示すように第２案内手段４７側がｙとなり、第１案内手段４６側が２／３ｙとなる。また前枠４が閉位置まで角度α回動するときの移動量は、第２案内手段４７側がｚとなり、第１案内手段４６側が２／３ｚとなる。
【００３８】
従って、前枠４の第２案内手段４７側がｚ移動し、第１案内手段４６側が２／３ｚ移動する間に、第２案内手段４７が前枠４をｙ持ち上げ、第１案内手段４６は前枠４を２／３ｙ持ち上げる必要がある。そのため各案内手段４６，４７の前後方向の案内長さは第２被案内部材５１の被案内部５８がｘとなり、第１被案内部材５０の被案内部５８が２／３ｘとなっている。
【００３９】
このような構成のパチンコ機１では、前枠４を閉位置に閉じた場合には、各案内手段４６，４７の被案内部材５０，５１の乗り上げ部５９が案内部材４８，４９の受け部５４上に乗り上げた状態にあり、ヒンジ３及び案内手段４６，４７を介して前枠４が支持されている。
【００４０】
前枠４を開放する場合には、前枠４をヒンジ３廻りに前側へと図４の反ａ矢示方向に回動させればよい。このように前枠４をヒンジ３廻りに開放する場合にも、各案内手段４６，４７の案内部材４８，４９と被案内部材５０，５１とが相対的に摺動して前枠４をスムーズに開放することができる。
【００４１】
開放後の前枠４を開位置から閉位置へと閉じる場合には、外枠２に接近するように前枠４をヒンジ３廻りにａ矢示方向に回動させる。このとき各案内手段４６，４７が機能し始めるまでは、前枠４はその重量により遊端側が垂れ下がり状態にあるが、前枠４が図４に示すように外枠２の近傍位置まで回動すると、図１１（Ａ）に示すように、各案内手段４６，４７の被案内部材５０，５１の被案内部５８が案内部材４８，４９の案内部５３に略同時に当接する。
【００４２】
その後、前枠４をヒンジ３廻りに更にａ矢示方向に回動させると、図１１（Ｂ）に示すように、各案内手段４６，４７の案内部材４８，４９の案内部５３が被案内部材５０，５１の被案内部５８に沿って相対的に摺動して、被案内部５８の傾斜角度に沿って前枠４を夫々持ち上げて行く。
【００４３】
そして、案内部材４８，４９の案内部５３が被案内部材５０，５１の被案内部５８を通過すると、前枠４が閉位置に達するまで案内部材４８，４９の受け部５４上を被案内部材５０，５１の乗り上げ部５９が摺動し、その閉位置では、図１１（Ｃ）に示すように、前枠４が案内手段４６，４７を介して受け部材８上に支持された状態となる。
【００４４】
従って、前枠４を閉方向へとａ矢示方向に回動させることにより、第１案内手段４６と第２案内手段４７とが前枠４の荷重を分担しながら前枠４を受け部材８上へと案内し持ち上げて行くので、前枠４の遊端側が従来のように上下動するようなこともなく、前枠４の持ち上げ時の抵抗を軽減しつつ前枠４をスムーズに閉じることができる。
【００４５】
またヒンジ３側の第１案内手段４６は、前枠４の左右方向の重心位置Ｇに対してヒンジ３と反対側に配置しているため、案内手段がヒンジ３の近傍にある従来の場合に比較して、その第１案内手段４６に加わる負荷を軽減することができる。
【００４６】
更に各案内手段４６，４７の受け部材８上の案内部材４８，４９の前端側を受け部材８の前端側と略一致するように設ける一方、ヒンジ３から各案内手段４６，４７までの距離の違いに応じて略比例的に各被案内部材５０，５１毎に被案内部５８の後方への突出量を変えているので、各案内手段４６，４７が略同時に案内機能を開始するようにしているにも拘わらず、案内部材４８，４９が前側に突出することがなく構造を簡素化することができる。
【００４７】
前枠４を閉じた状態では、前枠４の下部の後側に塞ぎ部材１２があり、この塞ぎ部材１２で受け部材８と前枠４との間の隙間Ｓを塞いでいるので、その隙間Ｓからピアノ線、その他の不正部材を挿入する等の不正行為を防止することができる。
【００４８】
図１２〜図１６は本発明の第２の実施形態を例示する。この実施形態の各案内手段４６，４７は、図１２、図１４及び図１５に示すように案内部材４８，４９と被案内部材５０，５１とを備えており、その案内部材４８，４９には略同一角度の傾斜状に形成された案内部５３と、この案内部５３の後側に平坦状に形成された受け部５４とが設けられ、また被案内部材５０，５１には後端側下部に形成された円弧状の被案内部５８と、この被案内部５８の前側に平坦状に形成された乗り上げ部５９とが設けられている。
【００４９】
各案内手段４６，４７の被案内部材５０，５１は、前後方向の略同一位置に被案内部５８を有し、この各被案内部５８が各案内部材４８，４９の案内部５３に略同時に当接して案内動作を開始するようになっている。
【００５０】
各案内部材４８，４９の案内部５３は、図１３に示すように、前枠４の第２案内手段４７側がｚ移動し、第１案内手段４６側が２／３ｚ移動したときに、前枠４の第２案内手段４７側をｙ持ち上げ、第１案内手段４６側を２／３ｙ持ち上げる必要がある。
【００５１】
従って、図１３に示すように、第２案内手段４７側の移動量ｚが第１案内手段４６側の移動量２／３ｚよりも大きく、第２案内手段４７側の持ち上げ量ｙが第１案内手段４６側の持ち上げ量２／３ｙよりも大きいため、案内部５３の前後方向の長さは第２案内手段４７側がｘであり、第１案内手段４６側が２／３ｘであって、第２案内手段４７側の案内部５３が低くなっている。他の構成は第１の実施形態と同様である。
【００５２】
このような構成の場合にも、前枠４を外枠２の近傍まで接近させると、各案内手段４６，４７の被案内部５８が案内部５３の傾斜に沿って相対的に移動するため、図１６（Ａ）〜（Ｃ）に示すように、各案内手段４６，４７で前枠４を案内しながら受け部材８上へと持ち上げることができる。従って、各案内手段４６，４７の案内部材４８，４９、被案内部材５０，５１をこのように構成することも可能である。
【００５３】
図１７〜図２１は本発明の第３の実施形態を例示する。この実施形態の各案内手段４６，４７は、図１７、図１９及び図２０に示すように、各案内手段４６，４７の案内部材４８，４９の前端側が受け部材８の前面、即ちカバー部材１０の前面部に揃え、また被案内部材５０，５１を前枠４の前後寸法に揃えている。
【００５４】
各案内部材４８，４９には、図１９及び図２０に示すように、略同一角度の傾斜状に形成された案内部５３と、この案内部５３の後側に平坦状に形成された受け部５４とが設けられている。また被案内部材５０，５１は断面略Ｌ字状であって、図１９及び図２０に示すように、後端側下部に形成された円弧状の被案内部５８と、この被案内部５８の前側に平坦状に形成された乗り上げ部５９とが設けられている。
【００５５】
各被案内部材５０，５１は、図１９及び図２０に示すように、前後方向の略同一位置に被案内部５８を有し、この各被案内部５８が各案内部材４８，４９の案内部５３に略同時に当接して案内動作を開始するようになっている。
【００５６】
この場合には、図１８に示すように、各案内部材４８，４９の案内部５３は、前枠４の第２案内手段４７側がｚ移動し、第１案内手段４６側が２／３ｚ移動したときに、前枠４の第２案内手段４７側をｙ持ち上げ、第１案内手段４６側を２／３ｙ持ち上げる必要がある。
【００５７】
従って、図１８に示すように、第２案内手段４７側の移動量ｚが第１案内手段４６側の移動量２／３ｚよりも大きく、第２案内手段４７側の持ち上げ量ｙが第１案内手段４６側の持ち上げ量２／３ｙよりも大きいため、案内部５３の前後方向の長さは第２案内手段４７側がｘであり、第１案内手段４６側が２／３ｘであって、第２案内手段４７側の案内部５３が第１案内手段４６側よりも前に配置されている。他の構成は各実施形態と同様である。
【００５８】
このような構成の場合にも、前枠４を外枠２の近傍まで接近させると、各案内手段４６，４７の被案内部５８が案内部５３の傾斜に沿って相対的に移動するため、図２１（Ａ）〜（Ｃ）に示すように、各案内手段４６，４７で前枠４を案内しながら受け部材８上へと持ち上げることができる。従って、各案内手段４６，４７の案内部材４８，４９、被案内部材５０，５１をこのように構成することも可能である。
【００５９】
図２２、図２３は本発明の第４の実施形態を例示する。この実施形態では、第１の案内手段４６，４７は、図２２、図２３に実線で示すように、前枠４の重心位置Ｇよりもヒンジ３側で且つ重心位置Ｇの近傍に配置されている。第２案内手段４７は、前枠４の重心位置Ｇに対してヒンジ３と反対側において、前枠４の遊端側からヒンジ３側に離れて配置されている。
【００６０】
前枠４が外枠２の近傍まで回動したときに第１案内手段４６、第２案内手段４７が略同時又は相前後して略同時期に案内を開始する場合には、このようにヒンジ３に最も近い側の第１案内手段４６は、前枠４の左右方向の重心位置Ｇよりもヒンジ３側に配置しても、ヒンジ３と反対側で第２案内手段４７が前枠４を案内するため、前枠４の遊端側の上下動を防止することができる。
【００６１】
従って、複数の案内手段４６，４７が略同時に機能する場合には、ヒンジ３に最も近い側の第１案内手段４６は、前枠４の左右方向の重心位置Ｇよりもヒンジ３側に配置することも可能である。勿論、第１案内手段４６、第２案内手段４７は図２３に二点鎖線で示すように、前枠４の左右方向の重心位置Ｇは遊端側との間に所定の間隔をおいて配置することも可能である。
【００６２】
図２４、図２５は本発明の第５の実施形態を例示する。各案内手段４６，４７の案内部材４８，４９に長尺部材６７が使用されている。長尺部材６７は両案内手段４６，４７に跨がる左右方向の長さを有し、外枠２の受け部材８上に装着されている。そして、この長尺部材６７の各被案内部材５０，５１に対応する部分により各案内部材４８，４９が構成されている。各案内部材４８，４９は、このように外枠２の受け部材８の長尺部材６７により構成してもよい。他の構成は各実施形態と同様である。
【００６３】
図２６、図２７は本発明の第６の実施形態を例示する。この実施形態では、各案内手段４６，４７の被案内部材５０，５１に長尺部材６８が使用されている。長尺部材６８は両案内手段４６，４７に跨がる左右方向の長さを有し、前枠４の下部に装着されている。そして、この長尺部材６８の各案内部材４８，４９に対応する部分により各被案内部材５０，５１が構成されている。各被案内部材５０，５１は、このように前枠４側の長尺部材６８により構成してもよい。他の構成は各実施形態と同様である。
【００６４】
図２８〜図３０は本発明の第７の実施形態を例示する。この実施形態では、各案内手段４６，４７の案内部材４８，４９は、受け部材８のカバー部材１０の上面部１１に一体に形成されている。カバー部材１０の上面部１１に案内部材４８，４９の傾斜状の案内部５３と平坦状の受け部５４が上側に突出して一体に形成され、その下側には左右方向に複数個の補強リブ６９が前後方向に設けられている。
【００６５】
カバー部材１０は、その取り付けボス７０が強度部材９の通孔７１に挿入され、後側からネジ等の取り付け具７２により着脱自在に固定されている。なお、カバー部材１０に圧入突起等を設けて、その圧入突起等を介して強度部材９に装着するようにしてもよい。他の構成は各実施形態と同様である。
【００６６】
このように各案内手段４６，４７の案内部材４８，４９は、受け部材８のカバー部材１０に一体に設けてもよい。このようにすれば、部品点数を削減できると共に、案内部材４８，４９を個別に受け部材８に装着する場合に比較して組み立て作業を容易にできる。また前枠４が閉状態の場合には、カバー部材１０に一体の案内部材４８，４９により前枠４を下側から支持するようにしているが、案内部材４８，４９の下側に補強リブ６９等を設けることにより、前枠４側の荷重に十分に抗することが可能である。
【００６７】
以上、本発明の各実施形態について例示したが、本発明はこの各実施形態に限定されるものではなく、本発明の趣旨を逸脱しない範囲で種々の変更が可能である。例えば、各実施形態では、受け部材８を有する外枠２と、この外枠２にヒンジ３を介して開閉自在に枢着された前枠４とを備えたパチンコ機１について例示しているが、パチンコ機１以外の各種の弾球遊技機、更には弾球遊技機以外のスロットマシン等の遊技機においても広く採用可能である。
【００６８】
その場合、遊技機は本体と、この本体にヒンジ３を介して開閉自在に枢着された開閉体とを備えたものであればよい。従って、本体は外枠２以外の筐体等でもよいし、開閉体は前枠４以外の開閉扉でもよい。また受け部材８は、筐体の底壁から前側に突出する突出縁とし、その突出縁上に開閉扉が乗るようにしてもよい。
【００６９】
各実施形態では、受け部材８の長手方向に第１案内手段４６、第２案内手段４７を配置する場合を例示しているが、３組以上の案内手段を配置してもよい。その場合、ヒンジ３に最も近い案内手段は、前枠４の左右方向の重心位置Ｇの近傍、又は重心位置Ｇに対してヒンジ３と反対側に配置することが望ましいが、各案内手段が略同時又は相前後して略同時期に案内する場合には、ヒンジ３の近傍に配置することも可能である。
【００７０】
案内手段４６，４７は受け部材８側に設けられた案内部材４８，４９と、前枠４側に設けられた被案内部材５０，５１とを備えているが、その案内部材４８，４９、被案内部材５０，５１は受け部材８、前枠４に着脱自在に設ける他、受け部材８、前枠４と一体に設けてもよい。例えば、案内部材４８，４９を受け部材８に設ける場合には、実施形態に例示のようにカバー部材１０に一体に設けるのが一般的であるが、受け部材８が合成樹脂製であれば、その受け部材８の上側に一体に設けてもよい。また前枠４が合成樹脂製の場合には、その下端部に一体に設けてもよい。
【００７１】
実施形態では、案内部材４８，４９の案内部５３と被案内部材５０，５１の被案内部５８との内、一方を傾斜面状とし、他方を円弧状としているが、案内部５３、被案内部５８は相対的な案内作用により前枠４を受け部材８上に持ち上げ得る構成であれば十分であり、その形状は傾斜面状、円弧状に限定されるものではない。
【００７２】
また実施形態では、被案内部５８の乗り上げ部５９を前枠４の下端面と略面一状とし、案内部材４８，４９の案内部５３、受け部５４を受け部材８、取り分けカバー部材１０の上面部１１から上側に突出する形状としているが、逆に案内部材４８，４９の案内部５３、受け部５４をカバー部材１０の上面部１１の形状と略面一状とし、被案内部材５０，５１の被案内部５８、乗り上げ部５９を前枠４の下端から下側に突出させてもよい。
【符号の説明】
【００７３】
２  外枠（本体）
３  ヒンジ
４  前枠（開閉体）
８  受け部材
９  強度部材
１０  カバー部材
１２  塞ぎ部材
４６  第１案内手段
４７  第２案内手段
４８，４９  案内部材
５０，５１  被案内部材
５３  案内部
５４  受け部
５８  被案内部
５９  乗り上げ部
Ｓ  隙間
Ｇ  重心位置
【図１】
0006030678.tif 000002
【図２】
0006030678.tif 000003
【図３】
0006030678.tif 000004
【図４】
0006030678.tif 000005
【図５】
0006030678.tif 000006
【図６】
0006030678.tif 000007
【図７】
0006030678.tif 000008
【図８】
0006030678.tif 000009
【図９】
0006030678.tif 000010
【図１０】
0006030678.tif 000011
【図１１】
0006030678.tif 000012
【図１２】
0006030678.tif 000013
【図１３】
0006030678.tif 000014
【図１４】
0006030678.tif 000015
【図１５】
0006030678.tif 000016
【図１６】
0006030678.tif 000017
【図１７】
0006030678.tif 000018
【図１８】
0006030678.tif 000019
【図１９】
0006030678.tif 000020
【図２０】
0006030678.tif 000021
【図２１】
0006030678.tif 000022
【図２２】
0006030678.tif 000023
【図２３】
0006030678.tif 000024
【図２４】
0006030678.tif 000025
【図２５】
0006030678.tif 000026
【図２６】
0006030678.tif 000027
【図２７】
0006030678.tif 000028
【図２８】
0006030678.tif 000029
【図２９】
0006030678.tif 000030
【図３０】
0006030678.tif 000031